(57)【要約】【課題】洗浄ノズルの回転数の違いやバラツキがあっても、確実に食器を洗浄することができ、強力な洗浄力と安定した洗浄性能を発揮できる食器洗い機を実現する。【解決手段】本体１の内部に洗浄槽２を設け、洗浄槽２内に洗浄水を食器４に噴射して洗浄する洗浄ノズル５と、洗浄ノズル５が設置されるノズル軸受け６と、洗浄水を洗浄ノズル５に圧送する洗浄ポンプ８とを備え、洗浄ノズル５は、洗浄ポンプ８の運転による洗浄水の圧力により上方に移動するとともに、洗浄ポンプ８の停止により下方に移動し、洗浄ノズル５が上下に移動するのに伴いノズル軸受け６を中心に回転するようにノズル軸受け６に案内部６２を設け、案内部６２は、洗浄ノズル５が最上部まで移動した時には回転を停止するように構成したものであり、洗浄水を所定時間連続して食器４に当てることができ、強力で安定した洗浄性能が得られる。【選択図】図１
2014004270.tif 000002
【特許請求の範囲】
【請求項１】
本体の内部に洗浄槽を設け、前記洗浄槽内に被洗浄物を収容する食器かごと、前記食器かごの下方に設けられ洗浄水を前記被洗浄物に噴射して洗浄する洗浄ノズルと、前記洗浄ノズルが設置されるノズル軸受けと、洗浄水を前記洗浄ノズルに圧送する洗浄ポンプとを備え、前記洗浄ノズルは、前記洗浄ポンプの運転による洗浄水の圧力により上方に移動するとともに、前記洗浄ポンプの停止により下方に移動し、前記洗浄ノズルが上下に移動するのに伴い前記ノズル軸受けを中心に回転するように前記ノズル軸受けに案内部を設け、前記案内部は、前記洗浄ノズルが最上部まで移動した時には回転を停止するように構成したことを特徴とする食器洗い機。
【請求項２】
前記案内部は、前記洗浄ノズルが上方に移動する時に前記洗浄ノズルの回転を制御する上部案内部と、前記洗浄ノズルが下方に移動する時に前記洗浄ノズルの回転を制御する下部案内部とを有する請求項１記載の食器洗い機。
【請求項３】
前記上部案内部と前記下部案内部とは、前記洗浄ノズルの回転を制御する動作始点の位相を互いにずらせて配設した請求項２記載の食器洗い機。
【請求項４】
前記上部案内部は、前記洗浄ノズルの上方への移動及び回転を規制する上昇回転規制部を備えた請求項２または３記載の食器洗い機。
【請求項５】
前記案内部は、前記ノズル軸受けの最外周部で、かつ前記ノズル軸受けの軸受部とほぼ同じ高さ位置に設けた請求項１〜４のいずれか１項記載の食器洗い機。
【請求項６】
前記洗浄ノズルは、前記洗浄ポンプの運転開始時において、前記洗浄ポンプの運転による洗浄水の圧力により略上方向に直動する請求項１〜５のいずれか１項記載の食器洗い機。
【請求項７】
前記洗浄ノズルは、前記上部案内部及び前記下部案内部に係止されて案内される係止部を備え、前記係止部は、前記洗浄ポンプの運転による洗浄水の圧力により前記上部案内部に押し付けられる請求項２〜６のいずれか１項記載の食器洗い機。
【請求項８】
前記洗浄ノズルは、前記上部案内部及び前記下部案内部に係止されて案内される係止部を備え、前記係止部は、前記洗浄ポンプの運転開始時において、前記上部案内部とは非接触とした請求項２〜７のいずれか１項記載の食器洗い機。
【請求項９】
前記洗浄ノズルは、前記上部案内部及び前記下部案内部に係止されて案内される係止部を備え、前記係止部は、円周上に複数個等配されるとともに、前記係止部の個数と前記上部案内部及び前記下部案内部の個数は同数とした請求項２〜８のいずれか１項記載の食器洗い機。
【発明の詳細な説明】
【技術分野】
【０００１】
本発明は食器等の被洗浄物を収容して洗浄する食器洗い機に関する。
【背景技術】
【０００２】
従来の食器洗い機は、図７に示すように構成していた。以下、その構成について説明する。図７において、本体１の内部に洗浄槽２が形成され、洗浄槽２内に食器４が配置される食器かご３と、洗浄槽２の底部で食器かご３の下方に複数の噴射口５ａを有する洗浄ノズル５が設けられている。洗浄槽２の底部には、洗浄槽２内の洗浄水や乾燥用空気を加熱するヒータ７と、洗浄水中の残滓を濾し取る残滓フィルター９とが設けられ、洗浄槽２の底部外側に残滓フィルター９を通過した洗浄水を洗浄ノズル５に圧送する洗浄ポンプ８が配設されている。
【０００３】
上記構成において、洗浄槽２に給水された洗浄水はヒータ７によって温水化され、洗浄ポンプ８により残滓フィルター９を通して吸い込まれ、洗浄ノズル５に圧送される。洗浄ノズル５の噴射口５ａより勢いよく噴射された洗浄水は、食器かご３に配置された食器４に当たって食器４の汚れを洗浄して洗浄ポンプ８に戻る、という循環動作を繰り返す。食器洗い機は、このようにして食器４の洗浄やすすぎを行う。洗浄ノズル５は、ノズル軸受け６に回転自在に配設され、洗浄ポンプ８によって圧送された洗浄水が噴射口５ａから斜め上方に噴射されることによって生じる反力によって常に回転するように構成されている（例えば、特許文献１参照）。
【先行技術文献】
【特許文献】
【０００４】
【特許文献１】特開２００３−４７５８５号公報
【発明の概要】
【発明が解決しようとする課題】
【０００５】
しかしながら、従来の構成では、洗浄ノズル５の回転数の違い等により食器かご３に配置された食器４に当る洗浄ノズル５から噴射される洗浄水の時間が異なる。回転数が早ければ洗浄水が食器４に当る時間は短いが、洗浄水が当る回数は多くなる。また、回転数が遅いと洗浄水が食器４に当る時間は長く、洗浄水が当る回数は少なくなる。また、食器かご３に配置する食器４の配置点数、配置箇所、食器４の形状により洗浄ノズル５の洗浄水を出す噴射口５ａの向き角度が変えられる構成となっており、食器かご３に配置された食器４に洗浄水が当るように洗浄ノズル５の噴射口５ａを調整することにより洗浄ノズル５の回転数は変わってしまう。また、電源周波数（５０／６０Ｈｚ）の違いにより洗浄ポンプ８を駆動するモータ８ａの回転数が変わり、洗浄ノズル５の噴射口５ａから噴射される洗浄水の吐出圧が異なり回転数が変わってしまう。以上のようなことが原因となり、洗浄性能が安定しないという課題を有している。
【０００６】
本発明は、上記従来の課題を解決するもので、洗浄ノズル５の回転数の違いやバラツキがあっても、確実に食器かご３に配置された食器４を洗浄することができ、強力な洗浄力と安定した洗浄性能を発揮できるようにした食器洗い機を提供することを目的としている。
【課題を解決するための手段】
【０００７】
本発明は上記目的を達成するために、本体の内部に洗浄槽を設け、前記洗浄槽内に被洗浄物を収容する食器かごと、前記食器かごの下方に設けられ洗浄水を前記被洗浄物に噴射
して洗浄する洗浄ノズルと、前記洗浄ノズルが設置されるノズル軸受けと、洗浄水を前記洗浄ノズルに圧送する洗浄ポンプとを備え、前記洗浄ノズルは、前記洗浄ポンプの運転による洗浄水の圧力により上方に移動するとともに、前記洗浄ポンプの停止により下方に移動し、前記洗浄ノズルが上下に移動するのに伴い前記ノズル軸受けを中心に回転するように前記ノズル軸受けに案内部を設け、前記案内部は、前記洗浄ノズルが最上部まで移動した時には回転を停止するように構成した食器洗い機である。
【０００８】
これにより、洗浄ノズルの回転数の違いやバラツキがあっても、安定して洗浄水を食器等の被洗浄物に当て続けることができ、強力な洗浄力で洗浄性能が向上するとともに安定した洗浄性能を有する食器洗い機を実現することができる。
【発明の効果】
【０００９】
本発明の食器洗い機は、食器等の被洗浄物を収容して洗浄する食器洗い機において、食器の配置状態や洗浄ノズル回転数の違いに対応して、確実に食器かごに配置された食器等の被洗浄物を洗浄することができ、強力な洗浄力で洗浄性能が向上するとともに安定した洗浄性能の食器洗い機を実現することができる。
【図面の簡単な説明】
【００１０】
【図１】本発明の実施の形態１における食器洗い機の縦断面図
【図２】（ａ）同食器洗い機の洗浄ノズルの側面図（ｂ）同食器洗い機の洗浄ノズルの平面図
【図３】同食器洗い機の洗浄ノズルの要部拡大図
【図４】同食器洗い機の洗浄ノズルが下降状態にあるときの要部拡大断面図
【図５】同食器洗い機の洗浄ノズルが上昇状態にあるときの要部拡大断面図
【図６】同食器洗い機の洗浄ノズルの係止部とノズル軸受けの案内部との関係を平面上に展開して示す概念図
【図７】従来の食器洗い機の縦断面図
【発明を実施するための形態】
【００１１】
第１の発明は、本体の内部に洗浄槽を設け、前記洗浄槽内に被洗浄物を収容する食器かごと、前記食器かごの下方に設けられ洗浄水を前記被洗浄物に噴射して洗浄する洗浄ノズルと、前記洗浄ノズルが設置されるノズル軸受けと、洗浄水を前記洗浄ノズルに圧送する洗浄ポンプとを備え、前記洗浄ノズルは、前記洗浄ポンプの運転による洗浄水の圧力により上方に移動するとともに、前記洗浄ポンプの停止により下方に移動し、前記洗浄ノズルが上下に移動するのに伴い前記ノズル軸受けを中心に回転するように前記ノズル軸受けに案内部を設け、前記案内部は、前記洗浄ノズルが最上部まで移動した時には回転を停止するように構成したことを特徴とする食器洗い機である。
【００１２】
この構成により、食器等の被洗浄物の配置状態や洗浄ノズル回転数の違いに対応して、確実に食器かごに配置された食器等の被洗浄物を洗浄することができ、洗浄性能が向上するとともに安定した洗浄性能の食器洗い機を実現することができる。また、洗浄ノズルが回転を停止した状態において任意の時間、被洗浄物に洗浄水を連続的に噴射して強力な洗浄力で洗浄することができ、より幅広い洗浄性能を有した食器洗い機を実現することができる。
【００１３】
第２の発明は、上記第１の発明において、前記案内部は、前記洗浄ノズルが上方に移動する時に前記洗浄ノズルの回転を制御する上部案内部と、前記洗浄ノズルが下方に移動する時に前記洗浄ノズルの回転を制御する下部案内部とを有する食器洗い機であり、上昇、下降のいずれにおいても、洗浄ノズルをきめ細かく個別に回転制御でき、食器かごに配置された食器等の被洗浄物を、よりきめ細かく洗浄することができる。
【００１４】
第３の発明は、上記第２の発明において、前記上部案内部と前記下部案内部とは、前記洗浄ノズルの回転を制御する動作始点の位相を互いにずらせて配設した食器洗い機であり、洗浄ノズルが上昇する時は上昇回転ガイド部に確実に当接し、案内され、また、洗浄ノズルが下降する時は下降回転ガイド部に確実に当接し、案内され、洗浄ノズルを確実に回転させることができ、安定した洗浄性能の食器洗い機を実現することができる。
【００１５】
第４の発明は、上記第２または第３の発明において、前記上部案内部は、前記洗浄ノズルの上方への移動及び回転を規制する上昇回転規制部を備えた食器洗い機であり、洗浄ノズルは回転停止状態で食器等の被洗浄物に所定の時間洗浄水を当てることができ、安定した洗浄性能を確保することができる。また、洗浄ノズルが上方に上がったとき、ノズル軸受けから外れることもなく、洗浄水の噴射の圧損も抑えることができる。
【００１６】
第５の発明は、上記第１〜第４のいずれかの発明において、前記案内部は、前記ノズル軸受けの最外周部で、かつ前記ノズル軸受けの軸受部とほぼ同じ高さ位置に設けた食器洗い機であり、洗浄ノズルは、特に上昇回転時において、案内部からこじる力の影響を受けることが少なく、スムーズに上昇回転を行うことができる。
【００１７】
第６の発明は、上記第１〜第５のいずれかの発明において、前記洗浄ノズルは、前記洗浄ポンプの運転開始時において、前記洗浄ポンプの運転による洗浄水の圧力により略上方向に直動する食器洗い機であり、洗浄ノズルが案内部によって回転開始されるまでの時間を最も短くすることができ、洗浄ノズルの回転、停止の繰り返しを効率よく実行させることができる。
【００１８】
第７の発明は、上記第２〜第６のいずれかの発明において、前記洗浄ノズルは、前記上部案内部及び前記下部案内部に係止されて案内される係止部を備え、前記係止部は、前記洗浄ポンプの運転による洗浄水の圧力により前記上部案内部に押し付けられる食器洗い機であり、洗浄ノズルが上昇する時に、係止部が上部案内部に確実に押し付けられ、案内され、洗浄ノズルを安定かつ確実に回転させることができる。
【００１９】
第８の発明は、上記第２〜第７のいずれかの発明において、前記洗浄ノズルは、前記上部案内部及び前記下部案内部に係止されて案内される係止部を備え、前記係止部は、前記洗浄ポンプの運転開始時において、前記上部案内部とは非接触とした食器洗い機であり、洗浄ノズルを押し上げる洗浄水の圧力が比較的弱い洗浄ポンプの運転開始時においても、洗浄ノズルをスムーズに上昇させることができる。
【００２０】
第９の発明は、上記第２〜第８の発明において、前記洗浄ノズルは、前記上部案内部及び前記下部案内部に係止されて案内される係止部を備え、前記係止部は、円周上に複数個等配されるとともに、前記係止部の個数と前記上部案内部及び前記下部案内部の個数は同数とした食器洗い機であり、洗浄ノズルの上昇回転および下降回転時に、洗浄ノズルに非対称なこじる力が作用することがなく、洗浄ノズルの上昇回転および下降回転の動作をスムーズにすることができる。また、こじることによって洗浄ノズルの上昇回転および下降回転が途中で停止してしまうことを防止することができる。
【００２１】
以下、本発明の実施の形態について、図面を参照しながら説明する。なお、従来例と同じ構成のものは同一符号を付して説明を省略する。また、この実施の形態によって本発明が限定されるものではない。
【００２２】
（実施の形態１）
本発明の実施の形態１における食器洗い機の構成について説明する。図１は、本発明の
実施の形態１における食器洗い機の縦断面図である。図１において、食器洗い機は、本体１の内部に洗浄槽２が形成され、洗浄槽２の内部に食器４（被洗浄物）を配置、収容する食器かご３を前面の開口部１０から出し入れ可能に配設している。複数の噴射口５ａを有する洗浄ノズル５が洗浄槽２内の底部で食器かご３の下方に設けられている。洗浄槽２内の洗浄水や乾燥用空気を加熱するヒータ７と、洗浄水中の残滓を濾し取る残滓フィルター９とが、洗浄槽２の底部に設けられている。残滓フィルター９を通過した洗浄水を洗浄ノズル５に圧送する洗浄ポンプ８が、洗浄槽２の底部外側に配設されている。洗浄ポンプ８は、モータ８ａによって駆動される。
【００２３】
次に、本発明の実施の形態１における食器洗い機の洗浄ノズル５の構成について説明する。図２（ａ）は、ノズル軸受け６に支持された洗浄ノズル５を示す側面図であり、図２（ｂ）は、同洗浄ノズル５の平面図である。図３は、洗浄ノズル５がノズル軸受け６によって支持される構成を示す要部拡大図である。図４及び図５は、洗浄ノズル５とノズル軸受け６との関係を示す要部拡大断面図である。
【００２４】
図２（ａ）において、洗浄ノズル５は、その中央下部が略鉛直方向を軸方向とする略円筒形に形成されており、その中央下部において、洗浄槽２の内底部に固着されたノズル軸受け６に、回転自在かつ上下動可能に配設されている。洗浄ノズル５がノズル軸受け６に回転自在かつ上下動可能に支持される詳細な構成については、後に詳しく説明する。図２（ｂ）に示すように、洗浄ノズル５は、上方から見たとき、中央部５１の左右に一対の翼部５２を有する形状に形成されている。一対の翼部５２は、中央部５１に対して点対照となる方向に湾曲して形成されている。
【００２５】
図２（ａ）および図２（ｂ）において、複数個の噴射口５ａが、洗浄ノズル５の左右一対の翼部５２の上面にそれぞれ設けられている。洗浄ノズル５は、洗浄ポンプ８によって圧送された洗浄水が噴射口５ａから斜め上方に噴射されることによって生じる反力によって、ノズル軸受け６を中心として図２（ｂ）中で矢印Ａで示した方向に回転する。
【００２６】
洗浄ノズル５は、図４及び図５に示すように、内部に鉛直流路５３および左右一対の水平流路５４を有している。鉛直流路５３の下端部は、洗浄ノズル５が回転、上下動、停止のいずれの状態にある場合においても、ノズル軸受け６に支持されつつ洗浄ポンプ８と連通されている。鉛直流路５３の上端部は、左右一対の水平流路５４と連続して一体形成されている。左右一対の水平流路５４は、噴射口５ａに連通している。洗浄ノズル５は、洗浄ポンプ８から鉛直流路５３を通じて圧送される洗浄水が中央部５１の内面に強く噴き付けられることによって上方に移動し、洗浄水の圧送が停止されることによって自重で下方に移動する。
【００２７】
また、洗浄ノズル５は、鉛直流路５３の外側の外周上に、上記上下方向の移動及びノズル軸受け６を中心とした回転を可能にする摺動部５６を備えている。摺動部５６は、上部摺動部５６ａと下部摺動部５６ｂとによって構成されており、ノズル軸受け６の中央部に縦長に設けられた軸受部６３に嵌合される。この構成によって、洗浄ノズル５は、ノズル軸受け６に回転自在かつ上下動可能に支持されている。
【００２８】
図３〜図５に示すように、洗浄ノズル５の中央の下部で、鉛直流路５３及び摺動部５６のさらに外側には、内方に爪５ｂを有する係止部５５が、同心円上に複数個均等に配置されている（例えば、９０°間隔で４個）。これら複数個の係止部５５は、樹脂材料で形成され、爪５ｂの上部を弾性変形可能な支持部５ｃとしてある。複数個の係止部５５が配置されている円の中心は、中央部５１の中心とほぼ一致させてある。係止部５５は、上部摺動部５６ａと下部摺動部５６ｂとの間の高さに位置させてある。
【００２９】
洗浄ノズル５は、上方からノズル軸受け６に押し込むことによって、摺動部５６がノズル軸受け６の軸受部６３に嵌合されるとともに、支持部５ｃを弾性変形させ、爪５ｂを後述するノズル軸受け６の案内部６２に係合させて、ノズル軸受け６を中心として回転自在かつ上下動可能に組み付けられる。
【００３０】
次に、本発明の実施の形態１における食器洗い機のノズル軸受け６の構成について説明する。ノズル軸受け６は、洗浄ポンプ８の運転あるいは停止、すなわち洗浄ノズル５への洗浄水の圧送あるいは圧送停止に応じて、洗浄ノズル５を上下動および間欠的に回転させる。このノズル軸受け６と洗浄ノズル５との協働によって、洗浄水は、回転しながらの噴射および回転停止しての噴射が組み合わされて、噴射口５ａから食器４に向けて噴射される。
【００３１】
図３〜図５において、ノズル軸受け６は、略中空円筒状に形成されている。ノズル軸受け６は、中央に縦長に設けられた軸受部６３によって、洗浄ノズル５を回転自在かつ上下動可能に支持している。また、ノズル軸受け６は、そのほぼ最外周である外周部６１を円形状に形成し、外周部６１に案内部６２を備えている。案内部６２は、ノズル軸受け６の軸受部６３とほぼ同じ高さ位置に設けられている。
【００３２】
案内部６２は、洗浄ノズル５が上下に移動するのに伴い、洗浄ノズル５をノズル軸受け６を中心に回転させる。案内部６２は、洗浄ノズル５が上方に移動する時に洗浄ノズル５の回転を制御する上部案内部６２ａと、洗浄ノズル５が下方に移動する時に洗浄ノズル５の回転を制御する下部案内部６２ｂとを有する。この案内部６２に係止部５５の爪５ｂで係合された洗浄ノズル５は、上部案内部６２ａによって上方への移動を規制され、下部案内部６２ｂによって下方への移動を規制される。なお、図４に示すように、洗浄ノズル５の係止部５５の爪５ｂは、洗浄ノズル５が上方に移動する前、すなわち洗浄ポンプ８の運転開始時においては、上部案内部６２ａに接触していないように構成されている。
【００３３】
図６は、案内部６２の上部案内部６２ａ及び下部案内部６２ｂと洗浄ノズル５の爪５ｂとの関係を平面上に展開して示す概念図である。図６において、上部案内部６２ａは、所定角度Ｂの上昇傾斜（例えば、１５°）を有する上昇回転ガイド部６２ａ１と、略鉛直方向に形成した上昇回転規制部６２ａ２とをセットとして、所定角度間隔で複数セット（例えば、９０°間隔で４セット）で構成されている。下部案内部６２ｂは、所定角度Ｃの下降傾斜（例えば、１５°）を有する下降回転ガイド部６２ｂ１と、略水平方向に形成した下降規制部６２ｂ２とをセットとして、所定角度間隔で複数セット（例えば、９０°間隔で４セット）で構成されている。上部案内部６２ａの各セットと下部案内部６２ｂの各セットとは、位相を所定角度Ｄ（例えば、１５°）ずらせて配置されている。
【００３４】
なお、図６に示すように、係止部５５の爪５ｂは、上面を上昇回転ガイド部６２ａ１の傾斜角度とほぼ同じ角度で傾斜させ、下面を下降回転ガイド部６２ｂ１の傾斜角度とほぼ同じ角度で傾斜させておけば、洗浄ノズル５の上下動および回転動作がスムーズになり、また、耐磨耗の点で永年使用に耐えることができ、好都合である。
【００３５】
以上のように構成した食器洗い機について、その動作及び作用を説明する。図１において、洗浄槽２内の洗浄水はヒータ７によって温水化され、洗浄ポンプ８にて残滓フィルター９を通して吸い込まれ、洗浄ノズル５に圧送される。この際、洗浄ポンプ８は、モータ８ａを間欠駆動することによって、所定の時間間隔で洗浄ノズル５への洗浄水の圧送と停止を繰り返す。
【００３６】
図５及び図６に示すように、洗浄ポンプ８が運転されると、洗浄ノズル５は、ノズル軸受け６から鉛直流路５３を経由して中央部５１の内面に噴き付けられる洗浄水の力によっ
て上方に上がり、係止部５５の爪５ｂがノズル軸受け６の上部案内部６２ａに押し付けられて上昇回転ガイド部６２ａ１に沿って回転し、洗浄ノズル５は回転しながら食器４に洗浄水を噴射する。この際、洗浄ポンプ８の運転開始時においては、洗浄ノズル５は、洗浄ポンプ８の運転による洗浄水の圧力が中央部５１の内面に均一に作用することによって、略上方向に直動する。
【００３７】
やがて、爪５ｂが上昇回転ガイド部６２ａ１に沿って上り切り、上昇回転規制部６２ａ２に当接し、上昇回転ガイド部６２ａ１と上昇回転規制部６２ａ２との間の谷部６２ａ３に入り込み停止する状態が起こり、洗浄ノズル５は回転停止状態で食器４に洗浄水を噴射する。これにより、食器洗い機は、食器かご３に配置収容された食器４に所定の時間連続して洗浄水を当てることにより、強力な洗浄力で洗浄性能が向上するとともに安定した洗浄性能を確保することができる。
【００３８】
次に、洗浄ポンプ８が停止されると、洗浄ノズル５への洗浄水の圧送が停止される。洗浄ノズル５は、中央部５１の内面に噴き付けられる洗浄水による上昇力を失い、図４及び図６に示すように、爪５ｂが洗浄ノズル５の自重によって上部案内部６２ａから下方に離脱する。下降した洗浄ノズル５は、爪５ｂが下降回転ガイド部６２ｂ１に当接し、下降回転ガイド部６２ｂ１に沿って下り、下降回転ガイド部６２ｂ１の途中もしくは下降規制部６２ｂ２に当接した状態で停止する。
【００３９】
以上説明した洗浄ポンプ８の運転と停止を繰り返すことにより、洗浄ノズル５は、洗浄水の回転噴射、回転停止状態での噴射、噴射停止を繰り返す。これにより、本発明の食器洗い機は、従来のような洗浄ノズル５からの回転噴射に加えて、洗浄ノズル５の回転停止状態においても食器４に洗浄水を所定の時間連続して噴射することができ、強力な洗浄力で洗浄性能を向上させることができる。特に、洗浄ノズル５の停止位置に汚れがひどいものを収容するようにすれば、強力な洗浄力をより有効に使うことができる。
【００４０】
なお、この際、上部案内部６２ａの各セットと下部案内部６２ｂの各セットとは、位相を所定角度Ｄ（例えば、１５°）ずらせて配置し、洗浄ノズル５の回転を制御する動作始点の位相を互いにずらせたことにより、洗浄ノズル５が上昇する時は、爪５ｂが上昇回転ガイド部６２ａ１に確実に当接し、案内され、洗浄ノズル５が確実に回転させられる。また、洗浄ノズル５が下降する時は、爪５ｂが下降回転ガイド部６２ｂ１に確実に当接し、案内され、洗浄ノズル５が確実に回転させられる。
【００４１】
また、この際、洗浄ノズル５の係止部５５は、洗浄ポンプ８の運転による洗浄水の上向きの力を利用して上部案内部６２ａに押し付けられるので、洗浄ノズル５が上昇する時に、係止部５５の爪５ｂが上昇回転ガイド部６２ａ１に確実に押し付けられ、案内され、洗浄ノズル５を安定かつ確実に回転させることができる。
【００４２】
上述したように、洗浄ポンプ８の運転と停止を繰り返すことにより、洗浄ノズル５は、ノズル軸受け６の軸受部６３によって支持され、案内部６２に案内されて上昇回転および下降回転を行う。この際、案内部６２は、ノズル軸受け６の最外周部で、かつノズル軸受け６の軸受部６３とほぼ同じ高さ位置に設けられているので、洗浄ノズル５は、特に上昇回転時において、案内部６２からこじる力の影響を受けることが少なく、スムーズに上昇回転を行うことができる。
【００４３】
また、洗浄ノズル５は、洗浄ポンプ８の運転開始時において、洗浄ポンプ８の運転による洗浄水の圧力により略上方向に直動するようにしたので、洗浄ノズル５が案内部６２によって回転開始されるまでの時間を最も短くすることができる。
【００４４】
また、洗浄ノズル５の係止部５５は、洗浄ポンプ８の運転開始時において、上部案内部６２ａとは非接触としてあるので、洗浄ノズル５を押し上げる洗浄水の圧力が比較的弱い洗浄ポンプ８の運転開始時においても、洗浄ノズル５をスムーズに上昇させることができ、上昇の勢いがついてから回転状態に移ることができる。
【００４５】
また、上部案内部６２ａは、洗浄ノズル５の上方への移動及び回転を規制する上昇回転規制部６２ａ２を備えたことにより、洗浄ノズル５が上方に上がったとき、爪５ｂが谷部６２ａ３に入り込み確実に保持されるので、洗浄ノズル５は回転停止状態で食器４に所定の時間連続して洗浄水を当てることができ、強力な洗浄力と安定した洗浄性能を確保することができる。また、洗浄ノズル５がノズル軸受け６から外れることもなく、洗浄水の噴射の圧損も抑えられる。
【００４６】
また、係止部５５を周上に等間隔に配置（例えば、９０°間隔で４個）したことにより、洗浄ノズル５の上昇回転および下降回転時に、洗浄ノズル５に非対称なこじる力が作用することがなく、上昇回転および下降回転の動作をスムーズにすることができる。また、こじることによって洗浄ノズル５の上昇回転および下降回転が停止してしまうことを防止することができる。
【００４７】
なお、係止部５５と案内部６２の個数は、本実施の形態１では同数で４個ずつとしたが、例えば、係止部５５が４個で案内部６２が８個でもよい。また、係止部５５が２個で、案内部６２が４個、６個及び８個など、さらに、係止部５５が３個で、案内部６２が３個、６個及び９個などでもよく、案内部６２の個数を係止部５５の個数の整数倍とすればよい。このとき、上昇回転ガイド部６２ａ１の上昇傾斜と下降回転ガイド部６２ｂ１の下降傾斜の角度とについても任意に設定することが可能であるし、さらに、案内部６２の上昇回転規制部６２ａ２は必ずしも周上に等間隔で配置する必要はなく、要は係止部５５との組み合わせがずれないように構成すればよい。
【００４８】
また、洗浄ノズル５がノズル軸受け６の案内部６２によって回転させられる方向は、洗浄ノズル５が噴射口５ａから噴射される洗浄水の反力を受けて回転させられる方向と一致させておくと、洗浄ポンプ８から圧送される洗浄水の力を有効に利用でき、好都合である。
【００４９】
また、洗浄ポンプ８は、モータ８ａをプログラムされたタイムチャートに従って間欠駆動することによって、意図的に異なる時間間隔で洗浄ノズル５への洗浄水の圧送と停止を繰り返してもよい。このように構成すれば、例えば、洗浄ノズル５が回転停止している状態における洗浄水の噴射を増減させる等の、多様な洗浄を可能とすることができる。
【００５０】
また、洗浄ノズル５の噴射口５ａは、洗浄ノズル５の上面において回転可能に構成してもよい。このように構成すれば、噴射口５ａから噴射される洗浄水の方向を、食器かご３に配置する食器４の配置点数、配置箇所、食器４の形状に応じて最適にすることができるので、洗浄性能を、より向上させることができる。
【産業上の利用可能性】
【００５１】
以上のように、本発明にかかる食器洗い機は、食器等の被洗浄物を収容して洗浄する食器洗い機において、洗浄ノズルの回転数の違いやバラツキがあっても、安定した洗浄水を食器等の被洗浄物に所定時間連続して当てることができ、強力な洗浄力と安定した洗浄性能を得られるので、卓上型およびビルトイン型の特に家庭用の食器洗い機等として有用である。
【符号の説明】
【００５２】
１  本体
２  洗浄槽
３  食器かご
４  食器（被洗浄物）
５  洗浄ノズル
５ａ  噴射口
５ｂ  爪
５ｃ  支持部
６  ノズル軸受け
７  ヒータ
８  洗浄ポンプ
８ａ  モータ
９  残滓フィルター
１０  開口部
５１  中央部
５２  翼部
５３  鉛直流路
５４  水平流路
５５  係止部
５６  摺動部
５６ａ  上部摺動部
５６ｂ  下部摺動部
６１  外周部
６２  案内部
６２ａ  上部案内部
６２ａ１  上昇回転ガイド部
６２ａ２  上昇回転規制部
６２ａ３  谷部
６２ｂ  下部案内部
６２ｂ１  下降回転ガイド部
６２ｂ２  下降規制部
６３  軸受部
【図１】
2014004270.tif 000003
【図２】
2014004270.tif 000004
【図３】
2014004270.tif 000005
【図４】
2014004270.tif 000006
【図５】
2014004270.tif 000007
【図６】
2014004270.tif 000008
【図７】
2014004270.tif 000009